(57)【要約】【課題】ファインダの本体に対する姿勢によっては、ファインダ画面に表示されるメニューのカーソル移動方向と十字キーの操作方向が一致しないことがあり、ユーザーが直感的に操作できないという課題があった。【解決手段】表示部と、前記表示部が固定される第一の筺体と、接眼レンズと、前記接眼レンズが固定され、前記第一の筺体と連結する第二の筺体と、前記接眼レンズの視認方向と略垂直な複数方向に操作することができる位置指定操作部材と、をもち、前記位置指定操作部材は前記第一、または、前記第二の筺体上で、視認方向に配置されることを特徴とするファインダ装置とする。これにより、上記構成により、ファインダ状態においても、ルーペ部を跳ね上げた状態においても、メニュー内でのカーソルの動きとセレクトキーの操作方向が同一になり、操作が容易になる効果がある。【選択図】図２ａ
2019057860.tif 000002
【特許請求の範囲】
【請求項１】
表示部と、
前記表示部が固定される第一の筺体と、
接眼レンズと、
前記接眼レンズが固定され、前記第一の筺体と連結する第二の筺体と、
前記接眼レンズの視認方向と垂直な複数方向に操作することができる位置指定操作部材と、をもち、
前記位置指定操作部材は前記第一、または、前記第二の筺体上で、視認方向に配置されることを特徴とするファインダ装置。
【請求項２】
前記第二の筺体は前記第一の筺体に対して、回動部材を介して、開閉自在に保持され、前記第二の筺体には切り欠き部を有し、前記第二の筺体開状態および、閉状態において、前記位置指定操作部材、前記回動部材、前記第二の筺体は視認方向に重ならない位置に配置されることを特徴とする請求項１に記載のファインダ装置。
【請求項３】
前記第一の筺体には表示部に表示された画像を前記接眼レンズ方向に反射させる反射板があることを特徴とする請求項１に記載のファインダ装置。
【請求項４】
前記ファインダ閉状態において、視認方向と垂直方向に操作でき、前記第一の筺体の天面側に配置された釦をもつことを特徴とする請求項１に記載のファインダ装置。
【請求項５】
前記位置指定操作部材と前記釦が、視認方向に平行な任意断面上に配置されること特徴とする請求項１に記載のファインダ装置。
【発明の詳細な説明】
【技術分野】
【０００１】
本発明は、静止画あるいは動画などの撮像画像を表示するためのＬＣＤなどの表示部と、表示部に表示された画像を瞳に導光するルーペ部を有するファインダ装置に関するものである。
【背景技術】
【０００２】
ビデオカメラのファインダ装置には、特許文献１で開示されているように、ビデオカメラに対する位置や姿勢を自由に変えられるものがある。また、ファインダとして用いるだけではなく、ルーペ部をズラす、又は、外すことにより表示部を直接覗くことができるものがある。これらのファインダにおいて、ファインダ表示部に表示されるメニューカーソルを操作するための十字キーはビデオカメラ本体側に配置されてきた。
【先行技術文献】
【特許文献】
【０００３】
【特許文献１】特開２００８−２８８９２０号公報
【発明の概要】
【発明が解決しようとする課題】
【０００４】
しかしながら、ファインダは本体に対して様々な方向に取り付け可能となっているため、ファインダの本体に対する位置、姿勢によっては、ファインダ画面に表示されるメニューカーソル移動方向と十字キーの操作方向が一致しないことがある。このような場合に、ユーザーが直感的に操作できないという課題があった。
【課題を解決するための手段】
【０００５】
本発明のファインダ装置は、表示部と、前記表示部が固定される第一の筺体と、接眼レンズと、前記接眼レンズが固定され、前記第一の筺体と連結する第二の筺体と、前記接眼レンズの視認方向と垂直（略垂直）な複数方向に操作することができる位置指定操作部材をもち、前記位置指定操作部材は前記第一、または、前記第二の筺体上で、視認方向に配置されることを特徴とする。
【発明の効果】
【０００６】
上記構成により、メニュー内でのメニューカーソルの動きと十字キーの操作方向が同一になり、操作が容易になるという効果がある。
【図面の簡単な説明】
【０００７】
【図１ａ】撮像装置斜視図
【図１ｂ】撮像装置上面図
【図１ｃ】ローアングル撮影時撮像装置斜視図
【図１ｄ】ハイアングル撮影時撮像装置斜視図
【図２ａ】ファインダ装置正面斜視図
【図２ｂ】ファインダ装置背面斜視図
【図３】光路説明図
【図４】ルーペ部開状態斜視図
【図５】パネルユニット斜視図
【図６ａ】ファインダ装置上面図
【図６ｂ】ファインダ装置正面図
【図７】ルーペ部開状態正面図
【図８】ファインダ底面斜視図
【図９】ファインダ正面着脱図
【図１０】パネルユニット正面図
【図１１】ルーペ部斜視図
【図１２】ルーペ部分解斜視図
【図１３】パネルユニット斜視図
【図１４】パネルユニット分解斜視図
【図１５】上係合操作部斜視図
【図１６】下係合操作部斜視図
【図１７】取り付け部材斜視図
【図１８】上操作部材断面図
【図１９】下操作部材断面図
【図２０】ファインダ断面斜視図
【図２１】ルーペ部閉状態断面図
【図２２】ルーペ部開状態断面図
【図２３】取り付け構造斜視図
【発明を実施するための形態】
【０００８】
＜第１の実施形態＞
図１ａは本実施例に係る撮像装置１の斜視図である。尚、図１ａ中の矢印にて示す方向を以下文中でＸ方向、Ｙ方向、Ｚ方向、と定める。また、各図におけるファンダ２の各要素において、図１ａに示すＺ方向側面を上面、Ｚ方向と反対側面を底面、Ｘ方向側面をＲ面、Ｘ方向と反対側面をＬ面、Ｙ方向面を正面、Ｙ方向と反対側面を背面と記載する。
【０００９】
（図１ａ、図１ｂ、図１ｃ、図１ｄの説明）
図１ａ、図１ｂ、図１ｃ、図１ｄを用いて、ファインダ２と撮像装置１の位置関係について説明する。
【００１０】
図１ａはファインダ２とファインダ取り付け部３、撮像装置１の斜視図である。ファインダ２はファインダ取り付け部３、ハンドル４を介して撮像装置１の上面に取り付けられる。
【００１１】
図１ｂはファインダ２とファインダ取り付け部３、撮像装置１の上面図である。ハンドル４から伸びるハンドル側取り付け部５とファインダ取り付け部３のＸ方向レール部６が並進移動可能に係合しているため、ファインダ２は撮像装置１に対してＸ方向に動くことができる。また、ハンドル４に取りつくハンドル側締め付け部７を回動することで、撮像装置１に対してファインダ２をＸ方向任意の位置に固定することができる。ファインダ側前方取り付け部８とＹ方向レール部９が並進移動可能に係合しているため、ファインダ２は撮像装置１に対してＹ方向に動くことができる。また、ファインダ側前方締め付け部１０を回動することで、撮像装置１に対してファインダ２をＹ方向任意の位置に固定することができる。
【００１２】
また、ファインダ側前方取り付け部８と取り付けアーム部１１の間と、ファインダ側後方取り付け部１２と取り付けアーム部１１の間には、それぞれＸ軸と平行軸（略平行な軸）を中心に回動できる不図示の１軸トルクヒンジが組み込まれている。この構成によりファインダ２はＸ軸と平行軸を中心として、本体に対して角度を変えることができる。また、Ｙ軸、Ｚ軸方向に移動することができる。このトルクヒンジの動きはファインダ側前方締め付け部１０、ファインダ側後方締め付け部１３を締め付けることで規制することができる。このように、本実施系のファインダ２は撮像装置１に対して、Ｘ方向、Ｙ方向、Ｚ方向に位置を変えるこたができる。また、Ｘ軸と平行な軸を中心にして、撮像装置１に対しての角度を変えることができる。
【００１３】
図１ｃと図１ｄを用いて、撮像装置１とファインダ２の相対的な姿勢が変化する例を説明する。図１ｃは被写体が低い位置にいる場合の撮像装置１とファインダ２の関係を表している。この場合、ユーザーは上からファインダを覗きこむ。図１ｄは被写体が高い位置にいる場合の撮像装置１とファインダ２の関係を表している。この場合、ユーザーは下からファインダ２を覗きこむ。このように、撮影形態に応じて、ファインダ２と撮像装置１の相対的な姿勢を変化させて撮像装置１を使うことができる。
【００１４】
（図２ａ、図２ｂ、図３、図４、図５の説明）
図２ａ、図２ｂ、図３、図４、図５を用いて、ファインダ２の概要を説明する。
【００１５】
図２ａはファインダ２の正面斜視図である。ファインダ２は後述するパネル２４を含むパネルユニット３１と、後述するレンズ群を含むルーペ部２９で構成される。ファインダ２には、ユーザーが顔をあてるためのアイカップ１４、視度を調整するため視度調整操作部１５、押釦式のメニューキー１６、押釦式のキャンセルキー１７、メニューモードの中でカーソルを動かす十字キー１８が備わっている。十字キー１８は４方向を選択するだけでなく、押釦することができる。
【００１６】
図２ｂはファインダ２の背面斜視図である。ファインダ２には、３連のダイヤルキー１９ａ〜１９ｃ、４連のトグルキー２０ａ〜２０ｄ、ダイヤルキー保護部２１、撮像装置１からの映像信号とタリー信号を受け取り、撮像装置１にキー類からの入力信号を送るケーブルを差し込むための本体接続ジャック２２、撮影時にタリーランプが点燈するときに、不図示のＬＥＤ等の明かりを外部に透過するＬＥＤ窓２３を備えている。
【００１７】
図３は図２ａから外装部材を取り除き、主要部材を表示した図である。図３内の破線はパネル２４の中心から発せられた光の光路２５ａ、２５ｂである。パネル２４から発せられた光はミラー２６でＸ軸と平行軸を中止に９０度曲げられて、固定レンズ２７、可動レンズ２７ａ、可動レンズ２７ｂの順で通過して、ユーザーの瞳に導かれる。可動レンズ２７ａと可動レンズ２７ｂは図２ａの視度調整操作部１５の動きと連動してＹ方向に移動する。
【００１８】
図３において、メニューキー１６、キャンセルキー１７、十字キー１８、パネル２４、ミラー２６は前述したパネルユニット３１に含まれる。また、固定レンズ２７、可動レンズ２８ａ、可動レンズ２８ｂは前述したルーペ部２９に含まれる。ここで、光路２５ｂのミラー２６に向かう方向を視認方向と呼ぶことにする。ユーザーはルーペ部２９の跳ね上げや着脱にかかわらず、パネルユニット３１に対して一定となる視認方向を覗くことになる。また、十字キー１８は視認方向に配置されている。
【００１９】
図４は図１ａのファインダ２のルーペ部２９をトルクヒンジ３０を中心に略垂直に跳ね上げた状態の図である。この形態をとることで、ユーザーはミラー２６で反射したパネル２４の画をレンズを介さずに見ることができる。また、図５のように跳ね上げたルーペ部２９を外して、パネルユニット３１だけで使用することもできる。これらルーペ部２９の開閉、着脱機構の詳細については後述する。
【００２０】
（図６ａ、図６ｂ、図７の説明）
図６ａ、図６ｂ、図７を用いて、メニューキー１６、キャンセルキー１７、十字キー１８、パネルユニット３１、ルーペ部２９、トルクヒンジ３０の位置関係について説明する。図６ａはファインダ２の上面図である。図６ａのように、、メニューキー１６、キャンセルキー１７、十字キー１８は上面から見た場合、Ｙ方向に一列に並ぶ位置に配置されている。図６ｂはファインダ２の正面図である。図６ｂのように、十字キー１８と不図示のメニューキー１６、不図示のキャンセルキー１７はファインダ２のＲ面側かつ天面側に配置されている。
【００２１】
また、正面から見て、十字キー１８がルーペ部２９の外装に隠れないように、ルーペ部２９には切り欠き部３２が設けられている。これにより、十字キー１８、パネルユニット３１、ルーペ部２９、トルクヒンジ３０はルーペ部２９開状態において正面方向から見た時に重なる部分がないように配置されている。また、十字キー１７とトルクヒンジ３０はＺ方向に略同一の高さに配置されている。
【００２２】
図６ａ、図６ｂの状態において、ユーザーは左手の中唯でメニューキー１６を、左手の人差し指でキャンセルキー１７を押すことができる。また、左手の親指で十字キー１８に４方向に入力することで、４方向にカーソルを動かす操作をすることができる。また、十字キー１８を押すことで選択、実行操作をすることができる。このように操作すれば、右肩に撮像装置１を担いだ状態でも、撮像装置１の操作の邪魔になることなく、メニューキー１６、キャンセルキー１７、十字キー１８の操作をすることが可能となる。
【００２３】
図７は図４のルーペ部２９を略垂直に跳ね上げたルーペ部開状態のファインダ２を正面から見た図である。図７のように、十字キー１８、パネルユニット３１、ルーペ部２９、トルクヒンジ３０はルーペ部２９開状態において正面方向から見た時に重なる部分がないように配置されている。また、切り欠き部３２の分だけ、上面側に解放空間ができるため、メニューキー１６、キャンセルキー１７がルーペ部２９に隠れない位置関係となる。これにより、ユーザーはルーペ部２９が開いた状態でも、ルーペ部２９が閉じた状態と同様にメニューキー１６、キャンセルキー１７、十字キー１８を操作できる。
【００２４】
（図８、図７、図９、図１０の説明）
図８、図７、図９、図１０を用いて、ルーペ部２９の跳ね上げ方法と、外し方について説明する。
【００２５】
図８のように、ユーザーロックノブ４０の押し部４１を押すと、後述するコイルバネ４２によって、閉じ方向に付勢されていたロックノブ４０が、後述するインナーホルダー４３に取り付けられた回動軸４４を中心に回転し、パネルユニット３１の係合凸部４５とロックノブ４０の係合爪部４６が外れる。これにより、ルーペ部２９がパネルユニット３１に対してトルクヒンジ３０を中心に回動できるようになる。
【００２６】
図７のように、ユーザーがトルクヒンジ３０のトルクに反してルーペ部２９を跳ね上げると、パネルユニット３１のミラー２６が外観に露出する。このとき、ユーザーはミラー２６に反射したパネル２４の画を視認方向から見ることができる。跳ね上げたルーペ部２９が撮影の邪魔になる場合は、着脱レバー４７をＹ方方向と反対方向にスライドさせ、パネルユニット３１に取り付けられたトルクヒンジ３０とルーペ部２９に取り付けられた着脱レバー４７の係合を解除することができる。
【００２７】
この状態で、ルーペ部２９をパネルユニット３１に対してＺ方向に引き上げれば、図９のようにパネルユニット３１からルーペ部２９を外すことができる。トルクヒンジ３０の挿入部４８が跳ね上がっているが、図１０のように挿入部４８をＺ方向と反対側に倒すことができる。このとき、視認方向から見て、挿入部４８はパネルユニット３１の開口部４９の外側にくるように配置されているため、挿入部４８によってミラー２６に映る画が遮られることがない。
【００２８】
（図１１、図１２、図１３、図１４、図１５（ａ）（ｂ）、図１６、図１７の説明）
図１１、図１２、図１３、図１４、図１５（ａ）、図１５（ｂ）、図１６、図１７を用いて、操作部の部品構成について説明する。図１１はルーペ部２９の斜視図、図１２はルーペ部２９の分解図である。図１３はパネルユニット３１斜視図、図１４はパネルユニット３１の分解図である。図１５（ａ）、図１５（ｂ）は着脱レバー４７の単品図、図１６にロックノブ４０の単品図である。図１７はインナーホルダー４３とルーペ部外装部材５０の斜視図である。
【００２９】
図１１、図１２のように、ルーペ部２９の背面側には、着脱レバー４７をトルクヒンジ３０の方向に付勢する圧縮バネ５１、着脱レバー４７を押させる内カバー５２、内カバー５２と圧縮バネ５１が取りつく、インナーホルダー４３がある。
【００３０】
図１２、図１５、図１７のように、圧縮バネ５１はインナーホルダー４３のバネ引っかけ部５３と着脱レバー４７の軸部５４の間に取り付けられる。さらに、着脱レバー４７の凹部５５とインナーホルダー４３の引っかけ部５６が引っ掛かることで、インナーホルダー４３、圧縮バネ５１、着脱レバー４７が仮組みされる。さらに、背面側から、内カバー５２により封止することにより固定される。
【００３１】
着脱レバー４７の可動範囲は着脱レバー４７の操作部５７が押さえ部材４７の端部５８に当たる位置から、着脱レバー４７の凹部５５がインナーホルダー４３の引っかけ部５６に当たる範囲である。この可動範囲の間で、摺動凸部５９ａが取り付け部の摺動面６０ａに、摺動凸部５９ｂが取り付け部の摺動面６０ｂに、摺動凸部５９ｃが取り付け部の摺動面６０ｃに、摺動凸部ｄが内カバー５２の不図示の摺動面と摺動する。
【００３２】
図１２、図１３のように、トルクヒンジ３０が着脱レバー４７とが係合する場合は、トルクヒンジ３０の挿入部４８の凹部６１がインナーホルダー４３の受け部６２と係合する。また、トルクヒンジ３０の凹部６３と着脱レバー４７の挿入部６４が係合する。
【００３３】
図１３、図１４のように、トルクヒンジ３０は取り付け軸部６５とヒンジベース６６が係合し、ヒンジベース６６とパネルユニット３１が固定されることで、位置が決まる。
【００３４】
図１２、図１６、図１７のように、インナーホルダー４３の下側には、ロックノブ４０の係合爪部４６をパネルユニット３１の係合凸部４５と係合する方向に付勢するコイルバネ４２、ロックノブ４０の穴部６７とコイルバネ４２を貫通して、インナーホルダー４３の穴部６８に取り付けられる回動軸４４がある。コイルバネ４２の両端はロックノブ４０のバネ取り付け部６９とインナーホルダー４３のバネ引っかけ部７０に取り付けられる。ロックノブ４０はロックノブ４０の面７１とインナーホルダー４３の凸面７２が当たる位置から、ロックノブ４０がインナーホルダー４３の凹面７３にあたる範囲で可動することができる。
【００３５】
（図１１、図１３、図１８、図１９の説明）
図１１、図１３、図１８、図１９を用いてルーペ部２９閉状態における、ルーペ部２９とパネルユニット３１の固定構造について説明する。  図１８は図７のＡ−Ａ面図である。  挿入部４８の凹部６３には着脱レバー４７の挿入部４８より傾斜が急な面取りがしてあり、着脱レバー４７の可動範囲内で確実にくいつくようになっている。
【００３６】
図１９は図６ａのＢ−Ｂ断面図である。インナーホルダー４３および内カバー５２に貼られた弾性部材７４、弾性部材７５がパネルユニット弾性当て面７６をチャージしているため、ルーペ部２９閉状態において、パネルユニット３１底面の係合凸部４５とロックノブ４０の係合爪部４６は確実に接する関係となり、Ｙ方向の位置が決まる。また、この弾性部材７４、弾性部材７５はパネルユニット開口部４９の外周を覆うためファインダ２内への光の侵入を防ぐ遮光部材としても機能している。
【００３７】
また、パネルユニット３１の内側にインナーホルダー４３の遮光リブ７７が入り込んでいる。この遮光リブ７７は遮光の役割だけでなく、ルーペ部２９をパネルユニット３１に対して閉じるときの、軌道のガイドにもなっている。また、ルーペ部２９閉状態では、図１１のルーペ部外装部材５０の凸部７８ａ、凸部７８ｂと図１３のパネルユニット３１の凹部７９ａ、凹部７９ｂがそれぞれ係合してＸ、Ｚ方向の位置が決まる関係になっている。
【００３８】
（図２０の説明）
図２０はＸ方向断面斜視図である。説明のため、アイカップ１４、レンズ群２７、２８、トルクヒンジ３０、パネルユニット３１の上カバー８０、ミラー２６、パネル２４、トルクヒンジ３０のみ表示している。この図を用いてファインダ２に対するトルクヒンジ３０の配置について説明する。
【００３９】
パネル２４から、ミラー２６の間には図２０には破線で囲まれた空間がある。ユーザーが眼をＺ方向に上下にふってファインダ２を覗いた場合に、パネル２４に映った画と、ミラー２６に映った画の両方が同時に見えることを防ぐ役割がある。一方、ファインダ２の天面側はユーザーが直接眼で被写体を視認しやすいように、高さを低くする必要がある。そこで、本実施系のトルクヒンジ３０は上カバー８０の天面ではなく、上カバー８０の天面より下の範囲のルーペ側に配置した。
【００４０】
（図２１、図２２、図２３の説明）
図２１、図２２、図２３を用いて、トルクヒンジ３０とパネルユニット３１、着脱レバー４７とルーペ部２９の配置について説明する。図２３はパネルユニット３１と着脱レバー４７、圧縮バネ５１、内カバー５２を表示した斜視図である。Ｚ方向で光軸に近くなる着脱レバー４７、圧縮バネ５１、内カバー５２をルーペ部２９に配置した。また、これらは、視認方向から見た場合にパネルユニット３１の開口部４９の内側に配置されている。これはファインダ２をルーペ部２９開状態で使用する場合と、ファインダ２をルーペ部２９閉状態で使うのとで、必要な開口サイズが異なるためである。
【００４１】
図２１の破線はファインダ２をルーペ部２９閉状態で使用するときの光路を表している。ルーペ部２９開状態では、ユーザーの眼の位置はアイカップ１４により、略一点に固定されいる。また、レンズ群２７、２８より光が集光するので、開口部４９における破線のＺ方向高さＭは小さくてよい。図２２の破線はファインダ２をルーペ部２９開状態で使用するときの光路を表している。ルーペ部２９開状態では、ユーザーの眼の位置はアイカップ１４により、固定されない。できるだけ広い範囲で画を見るためには、開口部４９における破線のＺ方向高さＮはできるだけ大きくする必要がある。
【００４２】
これら図２１、図２２の関係より、Ｚ方向光軸側に近くなる着脱レバー４７、圧縮バネ５１、内カバー５２をルーペ部２９側に配置し、トルクヒンジ３０をパネルユニット３１に配置した方が、トルクヒンジ３０をルーペ部２９に配置し、着脱レバー４７、圧縮バネ５１、内カバー５２をパネルユニット３１に配置するより、図２２のＮを大きくできる。よって、パネルユニット３１状態で視認できる上下方向の範囲を大きく確保できる効果がある。
【００４３】
以上、説明してきたように、本発明において、メニューキー１６とキャンセルキー１７を天面側に配置し、かつ、天面側から見たときに、メニューキー１６とキャンセルキー１７、十字キー１８がＹ方向に一列に並び、かつ、メニューキー１６とキャンセルキー１７、十字キー１８をＲ側に寄せて配置することにより、図６ｂの破線で囲まれたＰやＱの領域を広くとることができる。Ｐ領域が広がることにより、ユーザーがファインダ２から眼をＺ方向に離した場合に、被写体を眼で直接見やすいという効果がある。また、右目でファインダ２を覗いているときにＱ領域が広ければ、左目で被写体を確認しやすいといった効果がある。
【００４４】
また、メニューキー１６、キャンセルキー１７、十字キー１８は一緒に使用する頻度が高いキーである。ユーザーは左手の中唯でメニューキー１６を、左手の人差し指でキャンセルキー１７を、左手の親指で十字キー１８を押すように、ファンダ２を保持することができる。このように操作すれば、右肩に撮像装置１を担いだ状態でも、撮像装置１の操作の邪魔になることなく、メニューキー１６、キャンセルキー１７、十字キー１８の操作をすることが可能となる。
【００４５】
また、十字キー１８、パネルユニット３１、ルーペ部２９、トルクヒンジ３０はルーペ部２９開状態においても正面方向から見た時に重なる部分がないように配置されていることにより、ユーザーはルーペ部２９閉状態、開状態で十字キー１８を視認して操作することができ、操作性がよいといった効果がある。
【００４６】
また、ルーペ部２９に切り欠き部３２があることにより、ルーペ部開状態、ルーペ部閉状態において、メニューキー１６、キャンセルキー１７、十字キー１８をルーペ部２９に妨げられることなく操作できる効果がある。
【００４７】
また、十字キー１８がファインダ２正面側でユーザー側を向いていることで、ファインダ２が撮像装置１に対して、どんな位置、角度にあっても、メニュー内でのメニューカーソルの動きと十字キーの操作方向が同一になり、操作が容易になるという効果がある。
【００４８】
以上、本発明をその好適な実施形態に基づいて詳述してきたが、本発明はこれらとくていの実施形態に限られるものではなく、この発明の要旨を逸脱しない範囲の様々な形態も本発明に含まれる。上述の実施形態の一部を適宜組み合わせてもよい。
【符号の説明】
【００４９】
１‥‥撮像装置
２‥‥ファンダ
３‥‥ファインダ取り付け部
４‥‥ハンドル
５‥‥ハンドル側取り付け部
６‥‥Ｘ方向レール部
７‥‥ハンドル側締め付け部
８‥‥ファインダ側前方取り付け部
９‥‥Ｙ方向レール部
１０‥‥ファインダ側前方締め付け部
１１‥‥取り付けアーム部
１２‥‥ファインダ側後方取り付け部
１３‥‥ファインダ側後方締め付け部
１４‥‥アイカップ
１５‥‥視度調整操作部
１６‥‥メニューキー
１７‥‥キャンセルキー
１８‥‥十字キー
１９ａ‥‥ダイヤルキー
１９ｂ‥‥ダイヤルキー
１９ｃ‥‥ダイヤルキー
２０ａ‥‥トグルキー
２０ｂ‥‥トグルキー
２０ｃ‥‥トグルキー
２０ｄ‥‥トグルキー
２１‥‥ダイヤルキー保護部
２２‥‥本体接続ジャック
２３‥‥ＬＥＤ窓
２４‥‥パネル
２５ａ‥‥光路
２５ｂ‥‥光路
２６‥‥ミラー
２７‥‥固定レンズ
２８ａ‥‥可動レンズ
２８ｂ‥‥可動レンズ
２９‥‥ルーペ部
３０‥‥トルクヒンジ
３１‥‥パネルユニット
３２‥‥切り欠き部
４０‥‥ロックノブ
４１‥‥押し部
４２‥‥コイルバネ
４３‥‥インナーカバー
４４‥‥回動軸
４５‥‥係合凸部
４６‥‥係合爪部
４７‥‥着脱レバー
４８‥‥挿入部
４９‥‥開口部
５０‥‥ルーペ部外装部材
５１‥‥圧縮バネ
５２‥‥内カバー
５３‥‥バネ引っかけ部
５４‥‥軸部
５５‥‥凹部
５６‥‥引っかけ部
５７‥‥操作部
５８‥‥端部
５９ａ‥‥摺動凸部
５９ｂ‥‥摺動凸部
５９ｃ‥‥摺動凸部
５９ｄ‥‥摺動凸部
６０ａ‥‥摺動面
６０ｂ‥‥摺動面
６０ｃ‥‥摺動面
６１‥‥凹部
６２‥‥受け部
６３‥‥凹部
６４‥‥挿入部
６５‥‥取り付け軸部
６６‥‥ヒンジベース
６７‥‥穴部
６８‥‥穴部
６９‥‥バネ取り付け部
７０‥‥バネ引っかけ部
７１‥‥面
７２‥‥凸面
７３‥‥凹面
７４‥‥弾性部材
７５‥‥弾性部材
７６‥‥パネルユニット弾性当て面
７７‥‥遮光リブ
７８ａ‥‥凸部
７８ｂ‥‥凸部
７９ａ‥‥凹部
７９ｂ‥‥凹部
８０‥‥天面側外装部材
【図１ａ】
2019057860.tif 000003
【図１ｂ】
2019057860.tif 000004
【図１ｃ】
2019057860.tif 000005
【図１ｄ】
2019057860.tif 000006
【図２ａ】
2019057860.tif 000007
【図２ｂ】
2019057860.tif 000008
【図３】
2019057860.tif 000009
【図４】
2019057860.tif 000010
【図５】
2019057860.tif 000011
【図６ａ】
2019057860.tif 000012
【図６ｂ】
2019057860.tif 000013
【図７】
2019057860.tif 000014
【図８】
2019057860.tif 000015
【図９】
2019057860.tif 000016
【図１０】
2019057860.tif 000017
【図１１】
2019057860.tif 000018
【図１２】
2019057860.tif 000019
【図１３】
2019057860.tif 000020
【図１４】
2019057860.tif 000021
【図１５】
2019057860.tif 000022
【図１６】
2019057860.tif 000023
【図１７】
2019057860.tif 000024
【図１８】
2019057860.tif 000025
【図１９】
2019057860.tif 000026
【図２０】
2019057860.tif 000027
【図２１】
2019057860.tif 000028
【図２２】
2019057860.tif 000029
【図２３】
2019057860.tif 000030